(57)【要約】【課題】ノイズの抑制の向上を図ることが可能なコネクタを提供する。【解決手段】本発明のコネクタ１において、支持金具５は、ハウジング２に取り付けられる被取付部５１と、被取付部５１よりも外側方に位置し、ハウジング２の側壁２３と向かい合う対向部５３とを有する。シールド部材６は、側壁２３と対向部５３の間で旋回可能に支持される被支持部６７を有し、ハウジング２の上方で起立した姿勢と、前方又は後方に倒れた姿勢との間で旋回可能である。倒れた姿勢のシールド部材６は、ハウジング２及び倒れた姿勢のアクチュエータ４を覆う。【選択図】図１Ｂ
2014011032.tif 000002
【特許請求の範囲】
【請求項１】
基板上に配置され、フラットケーブルが挿入されるコネクタであって、
１又は複数の端子と、
前記端子を保持するハウジングと、
前記フラットケーブルの挿入方向を後方とし、その反対方向を前方とするとき、前記ハウジングの上方で起立した姿勢と、前方又は後方に倒れた姿勢との間で旋回可能なアクチュエータと、
前記ハウジングに取り付けられる被取付部と、前記被取付部よりも外側方に位置し、前記ハウジングの側壁と向かい合う対向部とを有する、導電材料からなる旋回支持部材と、
前記ハウジングの側壁と前記旋回支持部材の対向部との間で旋回可能に支持される被支持部を有し、前記ハウジングの上方で起立した姿勢と、前方又は後方に倒れた姿勢との間で旋回可能な、導電材料からなるシールド部材と、
を備え、
前記倒れた姿勢のシールド部材が、前記ハウジング及び前記倒れた姿勢のアクチュエータのうちの少なくとも一部を覆う、
ことを特徴とするコネクタ。
【請求項２】
前記アクチュエータが後方に倒れた姿勢のとき、前記ハウジングの上壁と前記アクチュエータとの間に前記端子の一部が露出し、
前記倒れた姿勢のシールド部材が、前記露出した端子の一部を覆う、
請求項１に記載のコネクタ。
【請求項３】
前記被支持部には、一方の側が凸状で他方の側が凹状の軸部が形成され、
前記ハウジングの側壁及び前記旋回支持部材の対向部には、前記軸部に対応する凹部及び凸部がそれぞれ形成される、
請求項１に記載のコネクタ。
【請求項４】
前記シールド部材は、前記被支持部から径方向に延伸する延伸部を有し、
前記ハウジングの側壁には、前記シールド部材が倒れた姿勢のときに前記延伸部と接触して、前記被支持部を前記旋回支持部材の対向部に押し付ける、外側方に張り出した張出部が形成される、
請求項１に記載のコネクタ。
【請求項５】
前記アクチュエータは、前記ハウジングの前後方向の中央よりも後方の位置を中心に旋回可能とされ、起立した姿勢から後方に倒れ、
前記シールド部材は、前記ハウジングの前後方向の中央よりも前方の位置を中心に旋回可能とされ、起立した姿勢から後方に倒れる、
請求項１に記載のコネクタ。
【発明の詳細な説明】
【技術分野】
【０００１】
本発明はコネクタに関し、特にはノイズの抑制に関する。
【背景技術】
【０００２】
特許文献１には、フラットケーブルを端子に押圧するためのアクチュエータを備えるコネクタにおいて、ハウジングの上壁を覆うシールド部材をハウジングに固定することが開示されている。
【先行技術文献】
【特許文献】
【０００３】
【特許文献１】特開２０１０−２３８３７１号公報
【発明の概要】
【発明が解決しようとする課題】
【０００４】
しかしながら、上記従来のコネクタでは、アクチュエータがあることで、シールド部材の被覆範囲が制限されるので、ノイズを十分に抑制することができない。例えば、上記従来のコネクタでは、シールド部材がハウジングの上壁を覆っていても、アクチュエータが後方に倒れたときにハウジングの上壁とアクチュエータとの間に端子の一部が露出するので、こうした部分がノイズの影響を受けやすい。
【０００５】
また、上記従来のコネクタではシールド部材をハウジングに固定しているが、これとは逆に、シールド部材をハウジングに対して可動にすると、シールド部材の接地が困難になることが予想される。
【０００６】
本発明は、上記実情に鑑みて為されたものであり、ノイズの抑制の向上を図ることが可能なコネクタを提供することを主な目的とする。
【課題を解決するための手段】
【０００７】
上記課題を解決するため、本発明のコネクタは、基板上に配置され、フラットケーブルが挿入されるコネクタであって、１又は複数の端子と、前記端子を保持するハウジングと、アクチュエータと、導電材料からなる旋回支持部材と、導電材料からなるシールド部材と、を備える。前記アクチュエータは、前記フラットケーブルの挿入方向を後方とし、その反対方向を前方とするとき、前記ハウジングの上方で起立した姿勢と、前方又は後方に倒れた姿勢との間で旋回可能である。前記旋回支持部材は、前記ハウジングに取り付けられる被取付部と、前記被取付部よりも外側方に位置し、前記ハウジングの側壁と向かい合う対向部とを有する。前記シールド部材は、前記ハウジングの側壁と前記旋回支持部材の対向部との間で旋回可能に支持される被支持部を有し、前記ハウジングの上方で起立した姿勢と、前方又は後方に倒れた姿勢との間で旋回可能である。前記倒れた姿勢のシールド部材が、前記ハウジング及び前記倒れた姿勢のアクチュエータのうちの少なくとも一部を覆う。
【０００８】
また、本発明の一態様では、前記アクチュエータが後方に倒れた姿勢のとき、前記ハウジングの上壁と前記アクチュエータとの間に前記端子の一部が露出し、前記倒れた姿勢のシールド部材が、前記露出した端子の一部を覆う。
【０００９】
また、本発明の一態様では、前記被支持部には、一方の側が凸状で他方の側が凹状の軸部が形成され、前記ハウジングの側壁及び前記旋回支持部材の対向部には、前記軸部に対応する凹部及び凸部がそれぞれ形成される。
【００１０】
また、本発明の一態様では、前記シールド部材は、前記被支持部から径方向に延伸する延伸部を有し、前記ハウジングの側壁には、前記シールド部材が倒れた姿勢のときに前記延伸部と接触して、前記被支持部を前記旋回支持部材の対向部に押し付ける、外側方に張り出した張出部が形成される。
【００１１】
また、本発明の一態様では、前記アクチュエータは、前記ハウジングの前後方向の中央よりも後方の位置を中心に旋回可能とされ、起立した姿勢から後方に倒れ、前記シールド部材は、前記ハウジングの前後方向の中央よりも前方の位置を中心に旋回可能とされ、起立した姿勢から後方に倒れる。
【発明の効果】
【００１２】
本発明によると、シールド部材が旋回可能とされることで、シールド部材の被覆範囲が上記従来のコネクタのように制限されないため、ノイズの抑制の向上を図ることが可能である。また、本発明によると、旋回可能なシールド部材を、旋回支持部材を介して接地することが可能である。
【図面の簡単な説明】
【００１３】
【図１Ａ】本発明の一実施形態に係るコネクタの斜視図である。
【図１Ｂ】上記コネクタの側面図である。
【図２】上記コネクタに含まれるハウジング及びアクチュエータの斜視図である。
【図３Ａ】上記コネクタの斜視図である。
【図３Ｂ】上記コネクタの側面図である。
【図４】上記コネクタに含まれるハウジング及びアクチュエータの斜視図である。
【図５】上記コネクタに含まれる支持金具の斜視図である。
【図６】上記コネクタの要部を示す断面図である。
【図７】上記コネクタの要部を示す平面図である。
【発明を実施するための形態】
【００１４】
本発明のコネクタの実施形態を、図面を参照しながら説明する。
【００１５】
図１Ａ及び図１Ｂは、本発明の一実施形態に係るコネクタ１の斜視図及び側面図である。図２は、ハウジング２及びアクチュエータ４の斜視図である。図１Ａ〜図２は、アクチュエータ４及びシールド部材６が起立した姿勢のときの様子を示している。図３Ａ及び図３Ｂは、コネクタ１の斜視図及び側面図である。図４は、ハウジング２及びアクチュエータ４の斜視図である。図３Ａ〜図４は、アクチュエータ４及びシールド部材６が倒れた姿勢のときの様子を示している。図５は、旋回支持部材の一例である支持金具５の斜視図である。図６は、図３ＢのＶＩ−ＶＩ線で切断したときのコネクタ１の要部を示す断面図である。図７は、コネクタ１の要部を示す平面図である。図６及び図７は、ハウジング２の側壁２３と支持金具５の対向部５３との間でシールド部材６の被支持部６７が旋回可能に支持されている様子を拡大視している。
【００１６】
以降の説明では、基板Ｂに対してコネクタ１が位置する方向を上方向とし、その反対方向を下方向とする。また、ハウジング２の挿入口２ａにフラットケーブルＦが挿入される方向を後方向とし、その反対方向を前方向とする。すなわち、図１Ｂ及び図３Ｂにおける紙面の左方向が前方向であり、紙面の右方向が後方向である。また、前方向に向かったときの左手側を左方向とし、右手側を右方向とする。
【００１７】
コネクタ１は、フラットケーブルＦが挿入されるハウジング２と、ハウジング２に保持される複数の端子３と、端子３をフラットケーブルＦに押圧するアクチュエータ４と、ハウジング２の左右両方の端部に取り付けられ、ハウジング２を補強する一対の支持金具５（ネイルとも呼ばれる）と、ノイズ抑制のためのシールド部材６と、を備えている。本実施形態のコネクタ１は、アクチュエータ４が後方に倒れるバックフリップ式であるが、これに限られず、フロントフリップ式であってもよい。
【００１８】
ハウジング２は、絶縁性の樹脂材料からなる成形品であり、左右方向に比較的長く、前後方向に比較的短い扁平矩形箱状に構成されている。ハウジング２の前側には、左右方向に広がった挿入口２ａが形成されており、フラットケーブルＦは、この挿入口２ａからハウジング２の内部に挿入される。ハウジング２の内部には、フラットケーブルＦと接触する複数の端子３が配置されている。
【００１９】
ハウジング２の左右両方の側壁２３には、支持金具５が後方に向かって挿入される挿入穴２３ａが形成されている。ここで、側壁２３とは、ハウジング２のうち、挿入口２ａに挿入されたフラットケーブルＦよりも左右方向の外側（外側方ともいう）に位置する部分を指す。また、側壁２３は、後述する支持金具５の対向部５３と向かい合う、凹部２３ｂが形成された対向部２３１と、対向部２３１の後方で、対向部２３１よりも外側方に張り出した張出部２３３と、を有している。張出部２３３の前端部分には、対向部２３１と連続し、後方に向かうに従って徐々に外側方に張り出すテーパー２３ｃが形成されている。
【００２０】
端子３は、導電性の金属板を打ち抜くことによって形成される板状の端子であり、前方または後方からハウジング２に挿入されて、ハウジング２の内部で左右方向に配列している。端子３は、アクチュエータ４の旋回に応じてフラットケーブルＦに対する押圧／非押圧が切り替わるＨ字状の端子であり、上記特許文献１を始めとする従来のバックフリップ式のコネクタに用いられる端子と同様の構成であるので、これ以上の詳細な説明を省略する。
【００２１】
アクチュエータ４は、絶縁性の樹脂材料からなる成形品であり、左右方向に比較的長い扁平矩形板状に構成されている。アクチュエータ４は、ハウジング２の上壁２１の後方に配置され、ハウジング２の内部で保持された端子３によって、ハウジング２の上方で起立した姿勢と後方に倒れた姿勢との間で旋回可能に支持されている。アクチュエータ４の旋回中心は、ハウジング２の前後方向の中央よりも後方に位置している。アクチュエータ４の先端部４５は、旋回中心から離れるに従って厚さが減じられたテーパー形状を有している。なお、図４に示されるように、アクチュエータ４が後方に倒れた姿勢のとき、ハウジング２の上壁２１とアクチュエータ４との間には端子３の一部が露出する。
【００２２】
支持金具５は、打ち抜かれた導電性の金属板を折り曲げることで形成される。図５に示されるように、支持金具５は、後方に向かって延びる被取付部５１と、被取付部５１よりも外側方に離れて位置する対向部５３と、被取付部５１の上端から対向部５３の上端に架けられた梁部５５と、被取付部５１の下端から外側方に折れ曲がった接続部５７と、対向部５３の前端から内側方に折れ曲がった前端部５９と、を有している。被取付部５１はハウジング２の挿入口２ａに圧入され、これによって支持金具５がハウジング２に固定される。対向部５３は、シールド部材６を旋回可能に支持するための軸部５４を有しており、ハウジング２の側壁２３の対向部２３１と隙間を形成しつつ向かい合う。接続部５７は、はんだ又は導電性接着剤などを用いて基板Ｂの接地端子に固着され、これによって支持金具５が接地される。
【００２３】
シールド部材６は、打ち抜かれた導電性の金属板を折り曲げることで形成される。シールド部材６は、ハウジング２及びアクチュエータ４を覆う矩形状の被覆部６１と、被覆部６１の左右両端で下方に折れ曲がった側壁部６３と、被覆部６１の後端で下方に折れ曲がった先端部６５と、側壁部６３の前方に配置された被支持部６７と、側壁部６３と被支持部６７を繋ぐ延伸部６９と、を有している。被支持部６７は、ハウジング２の側壁２３の対向部２３１と、支持金具５の対向部５３との間に形成された隙間に挿入され、これらの間で旋回可能に支持されている。これにより、シールド部材６はハウジング２の上方で起立した姿勢と後方に倒れた姿勢との間で旋回可能となっている。シールド部材６の旋回中心は、ハウジング２の前後方向の中央よりも前方に位置している。また、被支持部６７が支持金具５の対向部５３と接触することで、シールド部材６は支持金具５を介して接地される。
【００２４】
図３Ａ及び図３Ｂに示されるように、シールド部材６が倒れた姿勢のとき、シールド部材６は、ハウジング２及びアクチュエータ４のほぼ全部を覆う。具体的には、シールド部材６の被覆部６１は、ハウジング２の上壁２１（前端部分を除く）及びアクチュエータ４の上方に位置する。必然的に、被覆部６１は、上壁２１とアクチュエータ４の間に露出した端子３の一部の上方にも位置する。また、シールド部材６の側壁部６３は、ハウジング２の側壁２３の外側方に位置する。また、シールド部材６の先端部６５は、アクチュエータ４の後方に位置する。なお、シールド部材６の先端部６５は、後方に向かって凸となるようにＣ字状に折れ曲がっており、アクチュエータ４の先端部４５に嵌められる。このようにシールド部材６がハウジング２及びアクチュエータ４を覆うことで、ノイズの抑制の向上を図ることが可能である。
【００２５】
図６に示されるように、シールド部材６の被支持部６７は、パンチにより形成された円筒状の軸部６８を有している。この軸部６８は、ハウジング２の側壁２３の側に凸部６８１を有し、支持金具５の対向部５３の側に凹部６８３を有している。また、支持金具５の対向部５３も、パンチにより形成された円筒状の軸部５４を有している。この軸部５４は、シールド部材６の被支持部６７の側に凸部５４１を有し、その反対側に凹部５４３を有している。シールド部材６の被支持部６７の凸部６８１は、ハウジング２の対向部２３１の凹部２３ｂに挿入される。他方、シールド部材６の被支持部６７の凹部６８３には、支持金具５の対向部５３の凸部５４１が挿入される。これにより、シールド部材６の被支持部６７は、ハウジング２の対向部２３１と、支持金具５の対向部５３との間で旋回可能に支持される。
【００２６】
図７に示されるように、シールド部材６の被支持部６７から径方向に延伸する延伸部６９は、シールド部材６が倒れたときに、ハウジング２の側壁２３に形成された張出部２３３と接触する。具体的には、シールド部材６が起立した姿勢から後方に倒れるとき、延伸部６９は、張出部２３３の前端部分に形成されたテーパー２３ｃと接触して、徐々に外側方へ押し出される。このとき、延伸部６９に近い被支持部６７も同様に外側方へ押し出されて、支持金具５の対向部５３に押し付けられる。これにより、シールド部材６の被支持部６７と支持金具５の対向部５３との接触圧が高められ、電気的接続の信頼性が向上する。一方、張出部２３３は、延伸部６９と接触することによって変形する。図７では、変形前の張出部２３３の外形を二点鎖線で示している。
【００２７】
以上、本発明の実施形態について説明したが、本発明は上記実施形態に限定されるものではなく、種々の変形実施が当業者にとって可能であるのはもちろんである。
【００２８】
上記実施形態では、ハウジング２を補強すると共にハウジング２を基板Ｂに固定するための支持金具５が、シールド部材６を旋回可能に支持するための旋回支持部材を兼ねた例を説明したが、これに限られず、支持金具とは別体で旋回支持部材を設けてもよいし、左右両端に位置する端子が旋回支持部材を兼ねてもよい。
【符号の説明】
【００２９】
１  コネクタ、２  ハウジング、２ａ  挿入口、２１  上壁、２３  側壁、２３ａ  挿入穴、２３ｂ  凹部、２３ｃ  テーパー、２３１  対向部、２３３  張出部、３  端子、４  アクチュエータ、４５  先端部、５  支持金具（旋回支持部材の一例）、５１  被取付部、５３  対向部、５４  軸部、５４１  凸部、５４３  凹部、５５  梁部、５７  接続部、５９  前端部、６  シールド部材、６１  被覆部、６３  側壁部、６５  先端部、６７  被支持部、６８  軸部、６８１  凸部、６８３  凹部、６９  延伸部、Ｂ  基板、Ｆ  フラットケーブル。
【図１Ａ】
2014011032.tif 000003
【図１Ｂ】
2014011032.tif 000004
【図２】
2014011032.tif 000005
【図３Ａ】
2014011032.tif 000006
【図３Ｂ】
2014011032.tif 000007
【図４】
2014011032.tif 000008
【図５】
2014011032.tif 000009
【図６】
2014011032.tif 000010
【図７】
2014011032.tif 000011